(57)【要約】  鼻アレルギーの症状を緩和する装置であって、中間ブリッジによって接続された２つの管状要素によって形成された単一の一体型本体を含み、管状要素は鼻腔に挿入されるために提供される装置。少なくとも１つの自由流路が管状要素の全高にわたって形成されることにより鼻から流体を排出することが可能になるように、管状要素は連続的または不連続的な外部突起を有する。【選択図】図１
2014533568.tif 000002
【特許請求の範囲】
【請求項１】
鼻アレルギーの症状を緩和する装置であって、一体型本体（１）を含み、前記一体型本体（１）が、鼻腔に挿入されかつ鼻腔を広げたままに保つために提供された２つの管状要素（２）を含み、前記管状要素（２）が中間ブリッジ（４）によって互いに接続された装置において、少なくとも１つの自由流路が前記管状要素の全高に沿って形成されて鼻汁の排出が可能になるように、前記管状要素の表面が少なくとも１つの外部突起（３）を含み、前記外部突起（３）が連続的であり、その最初および最終の端部が一致せず、前記隆起部の各端部が前記管状要素（２）の反対側の縁部の近くに配置されるか、または前記外部突起（３）が不連続的であることを特徴とする装置。
【請求項２】
請求項１に記載の鼻アレルギーの症状を緩和する装置において、前記管状要素の内側に、アレルギーを誘発する粒子を保持するための少なくとも１つの隆起部（５）が設けられることを特徴とする装置。
【請求項３】
請求項１に記載の鼻アレルギーの症状を緩和する装置において、前記管状要素（２）が、前記管状要素（２）の外面全体に、いずれかの種類の不連続構造を有する複数の外部突起（３）を有し、それらの間に自由な排出空間またはチャネルを残し、従って前記鼻腔の内側で生成される液体および分泌物が前記装置内に保持されないように、および空気流を妨害しないようにすることを特徴とする装置。
【請求項４】
請求項１に記載の鼻アレルギーの症状を緩和する装置において、前記管状要素（２）の前記外部突起（３）の前記連続形状が、らせん構造の形態を取ることを特徴とする装置。
【請求項５】
請求項２に記載の鼻アレルギーの症状を緩和する装置において、前記隆起部（５）が前記管状要素（２）の内壁にらせん状に配置されることを特徴とする装置。
【請求項６】
請求項２に記載の鼻アレルギーの症状を緩和する装置において、前記隆起部（５）が前記管状要素（２）の全長にわたって配置されることを特徴とする装置。
【請求項７】
請求項２に記載の鼻アレルギーの症状を緩和する装置において、前記隆起部（５）が前記管状要素（２）の内側に部分的セグメントまたはセクションとして配置されることを特徴とする装置。
【発明の詳細な説明】
【技術分野】
【０００１】
本発明の特許出願の目的は、鼻の流路に進入する要素によって引き起こされるアレルギーの症状を緩和するための装置、詳細には、鼻腔内に先天性であろうと他の種類のものであろうと障害、すなわち形成異常があるときにアレルギーの症状を緩和するための装置、より詳細には、呼吸を容易にするために鼻腔に挿入される管状要素を備えた装置を登録することである。
【背景技術】
【０００２】
使用者が鼻の粘液性の、形成異常を有する等、特定の場合に、医療的処置と無関係に、呼吸の改善を可能にする多くの種類の手段が現在知られている。
【０００３】
前記手段は、鼻の両側を引っ張って鼻腔を広げるべく鼻梁の上に外側に貼り付けられる簡単な絆創膏状の要素からなる場合がある。この装置は運動選手および他の人々によって使用されており、鼻腔を広げることに関して、その結果には不完全な部分が多い。
【０００４】
さらに、鼻腔に挿入される２つの短い管から構成される別の装置があり、２つの管はブリッジによって結合され、ブリッジは前記管の間の結合要素として、および鼻腔への管の最大貫入のストッパ要素として機能する。これらに短い管の内面には、対応するエンドピースを結合するためのねじ山が設けられ、エンドピースによって空気が鼻腔から外へ通過するための空気取り込み口が確立される。この型の装置の欠点は、それが３つの独立した要素または部品を含み、そのうち２つは短い管に対応し、他はブリッジに対応し、それらに管のねじ部分に結合するエンドピースを加えなければならず、従ってそれを５つの部品によって形成される装置にしてしまうことである。これは一方で、装置の高い製造コストを、および様々な部品を一緒に組み立てるときにかなりの取扱い要件を伴う。
【０００５】
この全てが、エンドピースが適切にねじ込まれなかった場合、装置を取り出すときに鼻腔内にエンドピースが残り得る可能性に加えて、金銭的コストが高くなり、使用者にとって面倒なものになることを伴い、従って使用者のさらなる面倒および問題を引き起こす。
【０００６】
既知の装置によってもたらされる別の特徴は、鼻腔の内側への固定を補助するためにそれらが丸い環状の外部突起を有することであり、これは、前記突起が鼻の中の液体および流体を保持する要素を構成するため、液体および流体の排出を妨げ、空気の取り込みを妨害し、前記流体を清掃することに伴う欠点および面倒が増大するという欠点を伴う。
【０００７】
しかしながら、上記機能を果たす一方で、アレルギーを持つ人々の健康状態を改善することができ、この種類の病気に関連する共通の不快さを緩和する装置はまだ知られていない。
【０００８】
従って、最先端の上記装置に見出された欠点を回避しながら鼻腔を効果的に広げかつアレルギーを有する使用者の健康状態を改善できる装置が存在することは望ましいだろう。
【発明の概要】
【０００９】
本発明は、鼻腔に挿入されかつ鼻腔を広げたままに保つために提供される２つの管状要素によって形成される単一の一体型本体を含む、アレルギーの症状を緩和するための装置を用いて、最先端技術に見出される問題を解決する。管状要素は中間ブリッジを用いて互いに接続され、中間ブリッジは管状要素が鼻腔に深くまで貫入しないようにするためのストッパ要素として機能する。
【００１０】
この単一の部品は、構造的により単純かつより少ない数の要素など、最先端技術に見出される装置に勝る多数の有利性を提供し、それは、いずれの部品も結合する必要のない、また不適切に結合されたときに鼻腔の内側に残され得るエンドピースのない、より簡単な製造につながる。
【００１１】
さらに管状要素の外面には鼻腔への挿入を容易にし、鼻腔内側の掻き傷または潰瘍を回避する複数の外部突起がある。これら突起により装置を鼻腔の内側に保持すること、および鼻腔の内側で生成されるあらゆる液体を排出することが容易になり、管状要素の全高に沿って少なくとも１つの自由流路が形成され、従って液体が蓄積して管状要素を妨害することが阻止される。このため、前記突起は２つの好ましい実施形態の形状を有することができ、その１つは通過可能部分突起であり、それらにより突起間の自由な領域または排出チャネルが形成され、鼻汁の流出または放出が容易になる。実施形態の別の形状では、突起は連続的要素によって構成され、その最初および最終の端部は一致せず、そのそれぞれは、好ましくはらせん状に、管状要素の端部または縁部の近くに配置される。
【００１２】
さらに、管状要素の少なくとも１つの内側に、内側に突出する少なくとも１つの隆起部を、好ましくはらせん状に配置する可能性もあり、それにより埃、砂または花粉などの特定の粒子が鼻腔に進入することがより困難になり、アレルギー症状が緩和および軽減される。従ってこれら隆起部は、いったん管状要素が挿入されるとそれらの保護機能を果たすことができない鼻腔内側の毛の代わりになる働きをする。さらに隆起部は鼻自体の効果によって湿らされるので、鼻に入り得るあらゆる粒子は、気道内側を前進する際にさらなる障害に直面する。
【００１３】
実施形態の別の好ましい形態では、隆起部は管状要素の内側で部分的セクションまたはセグメントとして画定されてもよい。
【００１４】
鼻アレルギーの症状を緩和するための装置の他の特徴および利点、本発明の目的は、非限定的な例により添付図面に示される、好ましいが非排他的な実施形態の説明を考慮することで明らかになる。
【図面の簡単な説明】
【００１５】
【図１】図１は、使用前の状態にある、本発明による鼻アレルギーの症状を緩和するための装置の斜視図である。
【図２】図２は、両管状要素の内側にらせん状に配置された連続的な内部隆起部を備えた装置の特定の実施形態を示す断面図である。
【図３】図３は、管状要素の内側にらせん状に配置された、分離および食い違い隆起部を備えた、装置の代替実施形態を示す断面図である。
【図４】図４は、本発明の装置の第３実施形態の斜視図である。
【図５】図５は、本発明の装置の第４実施形態の斜視図である。
【発明を実施するための形態】
【００１６】
添付図面に示されるとおり、治療されるべき鼻アレルギーの症状を緩和するための装置の２つの実施形態を見ることができる。詳細には装置は、好ましくは可撓性材料から作製される単一の一体型本体（１）を含み、一体型本体（１）は使用者の鼻腔に挿入しかつ鼻腔を広げたままに保つために提供される２つの管状要素（２）によって形成される。図で観察できるように、管状要素（２）の外面に複数の外部突起（３）があり、外部突起（３）により管状要素を鼻腔へ挿入することが容易になり、鼻腔内側の掻き傷または潰瘍を回避する。図は特定の実施形態を示し、そこで突起（３）は丸い形状を有し、かつ環状構造の部分的セクションを有し、前記セクション間に自由空間があり、自由空間により鼻汁の排出が可能になる。図示されていないが別の代替実施形態では、端部が管状要素の反対側の縁部と一致するように少なくとも１つの連続的かつ丸いらせん状の突起によって内側突起が構成され、従って上で言及した排出が容易になる。
【００１７】
管状要素（２）は中間ブリッジ（４）によって互いに接続され、中間ブリッジ（４）はストッパとして機能し、管状要素（２）が鼻腔の内側深くまで貫入しないようにする。
【００１８】
図２は本発明の特定の実施形態を示し、両管状要素（２）の内側に、連続隆起部（５）が前記管状要素（２）全体にらせん状に配置され、それが埃、砂または花粉などの粒子が鼻腔に入ることをより困難にし、アレルギーの影響を低減することに寄与する。
【００１９】
図３は、先行実施形態の代替実施形態を示し（図面中、共通の部品は図２の実施形態と同じ参照番号を有する）、両管状要素（２）の内側に、複数の短い隆起部（５）が管状要素（２）全体にらせん状に配置され、先行実施形態と同じ効果を達成する。
【００２０】
好ましくは、鼻アレルギーの症状を緩和するための装置（１）は、医療グレードのシリコーンから作製されるが、別の可撓性材料から作製されてもよい。
【００２１】
図４および５は上に記載した実施形態の２つの代替実施形態を示し、共通の部品は図１の実施形態と同じ参照番号を有する。図４の外部突起は円形セクションの形態を取るが、図５では外部突起は、列を成す実質的に直線のセグメントの形態を取り、セグメントは互いに一列に並ばない。
【００２２】
本発明の鼻アレルギーの症状を緩和するための装置を製造するために使用される詳細、形状、寸法および他の付属要素、ならびに材料は、技術的に均等でありかつ本発明の本質からも以下に含まれる請求項によって定義される範囲からも逸脱しない他のものと適切に置き換えてもよい。
【図１】
2014533568.tif 000003
【図２】
2014533568.tif 000004
【図３】
2014533568.tif 000005
【図４】
2014533568.tif 000006
【図５】
2014533568.tif 000007
【国際調査報告】
2014533568.tif 000008
2014533568.tif 000009
2014533568.tif 000010
2014533568.tif 000011
2014533568.tif 000012
2014533568.tif 000013